(57)【要約】      （修正有）【課題】農作業、例えば果樹園での剪定後の枝の片付け、搬送などに用いた場合でも、水平方向に延びる爪状部が地中に突き刺さることがなく、作業性が著しく向上した農作業用フォークと、これを装備してなるトラクターとを提供する。【解決手段】トラクターに装備される、側面略Ｌ字状の農作業用フォーク１であって、水平方向に延びる爪状部１１と、上下方向に延びる枠部１２とからなり、爪状部１１の下面を肉抜きすると共に、爪状部１１の下面先端の肉抜きした部分に、弧状部材からなる板スプリング１３を取付け、かつ、枠部１２内に、左右方向に延びるトラクター結合用棒状部材１４を設けてなる、農作業用フォーク；農作業用フォーク１上面に、着脱自在に折りたたみ式コンテナーを取付けてなる、農作業用フォーク；農作業用フォークを装備してなる、トラクター。【選択図】図１
2008169025.tif 000002
【特許請求の範囲】
【請求項１】
トラクターに装備される、側面略Ｌ字状の農作業用フォークであって、水平方向に延びる爪状部と、上下方向に延びる枠部とからなり、前記爪状部の下面を肉抜きすると共に、前記爪状部の下面先端の肉抜きした部分に、弧状部材からなる板スプリングを取付け、かつ、前記枠部内に、左右方向に延びるトラクター結合用棒状部材を設けてなる、農作業用フォーク。
【請求項２】
請求項１記載の農作業用フォーク上面に、着脱自在に折りたたみ式コンテナーを取付けてなる、農作業用フォーク。
【請求項３】
請求項１又は２記載の農作業用フォークを装備してなる、トラクター。
【発明の詳細な説明】
【技術分野】
【０００１】
本発明は、農業機械として使用されているトラクターに装備して使用される農作業用フォークと、これを装備してなるトラクターとに関する。
【背景技術】
【０００２】
農業機械としてトラクターが広く普及しているが、農繁期以外は休眠することが多い。
そこでトラクターの後部にフォークを装備して運搬等に使用することが提案されている（例えば、特許文献１参照）。
しかしながら、これを農作業、例えば果樹園での剪定後の枝の片付け、搬送などに用いた場合、その重みもあって、水平方向に延びる爪状部が地中に突き刺さり、更に果樹の根部を傷つける等、作業性を著しく阻害していた。
【０００３】
【特許文献１】特開２００２−１３７８９７号公報
【発明の開示】
【発明が解決しようとする課題】
【０００４】
本発明は、上記従来の問題点を解消し、農作業、例えば果樹園での剪定後の枝の片付け、搬送などに用いた場合でも、水平方向に延びる爪状部が地中に突き刺さり、果樹の根部を傷つけることがなく、作業性が著しく向上した農作業用フォークと、これを装備してなるトラクターとを提供することを目的とするものである。
【課題を解決するための手段】
【０００５】
請求項１に係る本発明は、トラクターに装備される、側面略Ｌ字状の農作業用フォークであって、水平方向に延びる爪状部と、上下方向に延びる枠部とからなり、前記爪状部の下面を肉抜きすると共に、前記爪状部の下面先端の肉抜きした部分に、弧状部材からなる板スプリングを取付け、かつ、前記枠部内に、左右方向に延びるトラクター結合用棒状部材を設けてなる、農作業用フォークを提供するものである。
次に、請求項２に係る本発明は、請求項１記載の農作業用フォーク上面に、着脱自在に折りたたみ式コンテナーを取付けてなる、農作業用フォークを提供するものである。
さらに、請求項３に係る本発明は、請求項１又は２記載の農作業用フォークを装備してなる、トラクターを提供するものである。
【発明の効果】
【０００６】
本発明によれば、農作業、例えば果樹園での剪定後の枝の片付け、搬送などに用いた場合でも、水平方向に延びる爪状部が地中に突き刺さることがなく、作業性が著しく向上した農作業用フォークと、これを装備してなるトラクターとが提供される。
また、本発明の農作業用フォークは、万一地中に突き刺さったとしてもすぐに抜くことができる。
しかも本発明によれば、農作業用フォークとトラクターとの結合操作や解除操作も容易に行うことができる。
【発明を実施するための最良の形態】
【０００７】
以下、本発明を図面により説明する。
図１は、請求項１に係る本発明の農作業用フォークの一態様を示す斜視図であり、図２は請求項１に係る本発明の農作業用フォークの一態様を示す平面図、図３は請求項１に係る本発明の農作業用フォークの一態様を示す側面図である。
図中、符号１は農作業用フォークであり、符号１１は爪状部、符号１２は枠部、符号１３は板スプリング、符号１４はトラクター結合用棒状部材１４、符号１５はフォーク取付け金具、符号１６はピン、符号１７は棒状部材である。なお、図では爪状部１１が３本設けられているものを示しているが、２本以上設けられていればよい。
【０００８】
請求項１に係る本発明の農作業用フォーク１は、側面略Ｌ字状をなしており、水平方向に延びる爪状部１１と、上下方向に延びる枠部１２とからなっている。
請求項１に係る本発明の農作業用フォーク１は、前記爪状部１１の下面が肉抜きされ、軽量化されている。また、爪状部１１は先端に向かってテーパー状としてある。
そして、前記爪状部１１の下面先端の肉抜きした部分に、弧状部材からなる板スプリング１３が下面先端から、弧状部が下面、つまり地表と接する面、となるように取付けられており、逃げ板の役目を果たしている。
板スプリング１３の弧の大きさは特に限定されないが、例えば半径が２００〜３００ｍｍ程度の円弧の一部を弧状部材として用いることができる。
【０００９】
弧状部材からなる板スプリング１３の各種態様を図４、５、６に示す。図４、５、６において、（Ａ）は側面方向からみた図であり、（Ｂ）は底面方向からみた説明図である。
弧状部材からなる板スプリング１３としては、例えば鉄板等の板状部材を側面からみて略Ｒ状にして爪状部１１の下面に全面溶接したものでもよいし（図４参照）、或いはこれを先端のみ溶接して板バネ仕様としたものでもよい（図５参照）。さらには、弧状部材のみならず、これより角のややある四角ばった部材（略弧状部材）を爪状部１１の下面に取り付けたものであってもよい（図６参照）。要するに一種のスプリング的役割を果たすものであればよい。
【００１０】
一方、枠部１２内には、枠部１２のやや下側に、農作業用フォーク１の左右方向に延びるトラクター結合用棒状部材１４が設けられている。
図１、２では、このトラクター結合用棒状部材１４は、枠部１２と爪状部１１との連結の役目を兼ねているものを示しているが、必ずしもこれに限定されるものではない。
トラクター結合用棒状部材１４は、文字通りトラクター３を着脱自在に結合するための棒状の部材である。
このトラクター結合用棒状部材１４に、トラクター３を結合する模様は後述する。
【００１１】
このように弧状部材からなる板スプリング１３が、爪状部１１の下面先端の肉抜きした部分に取付けられていることから、クッションの役目を果たし、請求項１に係る本発明の農作業用フォーク１を農作業、例えば果樹園での剪定後の枝の片付け、搬送などに用いた場合でも、水平方向に延びる爪状部１１が地中に突き刺さることがなく、安心して使用することができる。
請求項１に係る本発明の農作業用フォーク１は、フォーク上に農作物などを５００ｋｇ程度積んで運搬することができる。
また、ピン１６を抜き、トラクター結合用棒状部材１４と棒状部材１７を引き抜くことで、請求項１に係る本発明の農作業用フォーク１は簡単に解体することができる。
さらに、各部品は、軽量なため、一人で運ぶことができ、収納スペースをとらない。
【００１２】
枠部１２の裏面側、つまりトラクターと結合される側には、上部にフォーク取付け金具１５が設けられている。
このフォーク取付け金具１５は、トラクター３の後部に設けられている結合部３１とペアとなるものである。図７にフォーク取付け金具１５の斜視図を示す。また、図８にトラクター３の後部の様子を示す。
【００１３】
枠部１２の裏面側の上部に設けられているフォーク取付け金具１５は、水平方向に設けられている棒状部材１５１と、その両側に上下方向に設けられている板状部材とからなるものである。
【００１４】
請求項１に係る本発明の農作業用フォーク１は、上記の如き構造のものである。
【００１５】
次に、請求項２に係る本発明は、上記した如き請求項１記載の農作業用フォーク１上面に、着脱自在に折りたたみ式コンテナー２を取付けてなる、農作業用フォークを提供するものである。
図９は、そのような折りたたみ式コンテナー２の一態様を示す斜視図であり、図１０は、そのような折りたたみ式コンテナー２を、農作業用フォーク１上面に、着脱自在に取付けた上体を示す側面図である。
折りたたみ式コンテナー２としては、板状の部材を組んだものでもよいが、軽量化の観点から、棒状部材を網目状に組んだものが好ましい。
なお、図中、符号２１は、折りたたみ式コンテナー２の背面に設けられた取り付け用金具である。また、符号２２は固定用ピン挿入用孔であり、符号２３は固定用ピンである。
【００１６】
このような折りたたみ式コンテナー２を取付けるタイプのものには、農作業用フォーク１の枠部１２に、予め折りたたみ式コンテナー２を取付けるための挿入孔１２１を設けておき、この挿入孔１２１に、折りたたみ式コンテナー２の背面に設けられた取り付け用金具２１を引っ掛けるようにして挿入し取付ける。但し、取付けの仕方はこれに限定されるものではなく、要するに折りたたみ式コンテナー２が着脱自在に取り付けられるようなものであればよい。
【００１７】
折りたたみ式コンテナー２は、その底面と前面と側面とが折りたたみ可能とされており、前面は、図１１に示すように、中折れ蝶番２４などにより、さらに中折れできるようにされている。
側面は、いわゆる観音開き型とされている。側面を折りたたんだ後に、底面と前面とを後面に引き寄せることにより、側面からみて略Ｗ字型に折りたたまれる。
このように、コンテナー２を折りたたみ式としたことにより、収納後、コンテナー２を取り付けたまま作業ができる。
【００１８】
このように農作業用フォーク１上面に、着脱自在に折りたたみ式コンテナー２を取付けていることにより、必要時には農作物などを５００ｋｇ程度積んで運搬することができる。
【００１９】
さらに、請求項３に係る本発明は、上記した如き請求項１又は２記載の農作業用フォーク１を装備してなる、トラクター３を提供するものである。
トラクター３としては、一般に市販されているものを用いることができ、油圧などで作動するアーム３３を左右一対有している。このアーム３３により、農作業用フォーク１は、地面水平方向に対してマイナス５度から、プラス４５度の範囲内に動くようにされている。
但し、上記した如き請求項１又は２記載の農作業用フォーク１を装備するために、アーム３３の先に、トラクターの結合部３１と、トラクターの結合用金具３２を設けておく必要がある。
【００２０】
トラクターの結合部３１は、図８に示すように、トラクター３に取付けられている。このような結合部３１を持たない市販のトラクター３の場合には、結合部３１を取り付けておく。
【００２１】
また、トラクターの結合用金具３２としては、農作業用フォーク１の枠部１２内に設けられている、農作業用フォーク１の左右方向に延びるトラクター結合用棒状部材１４を挟み込み固定でき、さらに固定を解除できるような構造のものであればよい。
図１２では、トラクターの結合用金具３２として、トラクター結合用棒状部材１４を挟み込む支持具３２１と、同じ軸上に回動自在に軸支されている、脱落防止用金具３２２とからなるもの（一対）を示しているが、農作業用フォーク１の左右方向に延びるトラクター結合用棒状部材１４を挟み込み固定でき、さらに固定を解除できるような構造のものであれば、これに限定されるものではない。
トラクター結合用棒状部材１４を挟み込む支持具３２１は、略Ｕ字状の金具を、前方向に若干（例えば５０〜６０度程度）倒した状態で、左右一対軸止されている。
なお、脱落防止用金具３２２は、連結棒３２３を介して、左右一対の固定用具３２２が連動するように構成されている。さらに、脱落防止用金具３２２には、固定のための回動を行いやすくするため、レバー３２４が設けられている。
【００２２】
図１３に、本発明の農作業用フォーク１をトラクター３に取り付けた状態を示す。
トラクター３の後部に農作業用フォーク１を装備させるには、まず農作業用フォーク１を水平な場所に置き、トラクター３をゆっくりと後退させて、農作業用フォーク１の左右方向に延びるトラクター結合用棒状部材１４を、トラクター３の後部に取り付けられている左右の支持具３２１に挿入し、このレバー３２４を用いて脱落防止用金具３２２を例えば９０度回動させることにより、農作業用フォーク１の左右方向に延びるトラクター結合用棒状部材１４が脱落しないように固定（ロック）する。なお、農作業用フォーク１の左右方向に延びるトラクター結合用棒状部材１４を、トラクター３の後部に取り付けられている左右の支持具３２１に挿入すると同時に、農作業用フォーク１の枠部１２の裏面側、つまりトラクターと結合される側に設けられている、フォーク取付け金具１５を、トラクターの結合部３１と結合させる。
次いで、アーム３３を作動させて農作業用フォーク１をゆっくりと持ち上げればよい。
【００２３】
この反対に、トラクター３の後部から農作業用フォーク１を取り外したい場合には、一旦アーム３３を作動させて農作業用フォーク１をゆっくりと持ち上げた後、レバー３２４操作により脱落防止用金具３２２を反対方向に回動させて、ロックを解除し、次いでアーム３３を作動させて農作業用フォーク１をゆっくりと地表までおろした後、トラクター３をゆっくりと前進させればよい。
【産業上の利用可能性】
【００２４】
本発明によれば、農作業、例えば果樹園での剪定後の枝の片付け、搬送などに用いた場合でも、水平方向に延びる爪状部が地中に突き刺さり、又果樹の根部を傷つけることがなく、作業性が著しく向上した農作業用フォークと、これを装備してなるトラクターとが提供される。
しかも本発明によれば、農作業用フォークとトラクターとの結合操作や解除操作も容易に行うことができる。
従って、本発明は、農業分野において有効に利用することができる。
【図面の簡単な説明】
【００２５】
【図１】請求項１に係る本発明の農作業用フォークの一態様を示す斜視図である。
【図２】請求項１に係る本発明の農作業用フォークの一態様を示す平面図である。
【図３】請求項１に係る本発明の農作業用フォークの一態様を示す側面図である。
【図４】弧状部材からなる板スプリング１３の一態様を示す説明図である。
【図５】弧状部材からなる板スプリング１３の別の態様を示す説明図である。
【図６】弧状部材からなる板スプリング１３のさらに別の態様を示す説明図である。
【図７】フォーク取付け金具１５の斜視図である。
【図８】トラクター３の後部の様子を示す説明図である。
【図９】折りたたみ式コンテナー２の一態様を示す斜視図である。
【図１０】折りたたみ式コンテナー２を、農作業用フォーク１上面に、着脱自在に取付けた上体を示す側面図である。
【図１１】折りたたみ式コンテナー２を中折れした状態を示す説明図である。
【図１２】フォーク結合用金具３２の一態様を示す説明図である。
【図１３】請求項１に係る本発明の農作業用フォークをトラクター３に取り付けた状態を示す図面である。
【符号の説明】
【００２６】
１  農作業用フォーク
１１  爪状部
１２  枠部
１３  板スプリング
１４  トラクター結合用棒状部材
１５  フォーク取付け金具
１６  ピン
１７  棒状部材
２  折りたたみ式コンテナー
２１  取り付け用金具
２２  固定用ピン挿入用孔
２３  固定用ピン
２４  中折れ蝶番
３  トラクター
３１  トラクターの結合部
３２  トラクターの結合用金具
３２１  支持具
３２２  脱落防止用金具
３２３  連結棒
３２４  レバー
３３  アーム
【図１】
2008169025.tif 000003
【図２】
2008169025.tif 000004
【図３】
2008169025.tif 000005
【図４】
2008169025.tif 000006
【図５】
2008169025.tif 000007
【図６】
2008169025.tif 000008
【図７】
2008169025.tif 000009
【図８】
2008169025.tif 000010
【図９】
2008169025.tif 000011
【図１０】
2008169025.tif 000012
【図１１】
2008169025.tif 000013
【図１２】
2008169025.tif 000014
【図１３】
2008169025.tif 000015